(57)【要約】【課題】プリント板に起因する挿入損失を無くし、低挿入損失を実現する。【解決手段】複数のＳＰＳＴスイッチを構成する各ベースを一体に含む形状の導電性の一体ベース２１Ａを形成し、その一体ベース２１Ａに出力用のコネクタおよび複数の入力用のコネクタの各外周電極を接続し、ＳＰＳＴスイッチを構成する各カード２２の先端部２２１から、上記各コネクタの中央端子に至る経路を空間とし、この空間内に各カード２２の先端部２２１に取り付けられた可動接点２６Ａを配置し、これらの各可動接点２６Ａを、出力用のコネクタの中央端子に接続された延長端子４２と、各入力用のコネクタの中央端子に接続された延長端子５２とに対して、直接接触する形状に形成した。【選択図】  図１
2004236207.tif 000002
【特許請求の範囲】
【請求項１】
第１収納室およびこの第１収納室に対し隔壁で隔てられその隔壁に穿設された孔を介して連通する第２収納室を有する導電性のベースと、前記第１収納室に収納され前記孔を介して前記第２収納室内に先端部が突出する進退自在のカードと、このカードの先端部に取り付けられ前記第２収納室に収納される可動接点とにより構成されるスイッチを複数備えるとともに、同軸型の、第１コネクタおよび複数の第２コネクタを備え、前記複数のスイッチの可動接点を介して、前記第１コネクタの中央端子と前記複数の第２コネクタの各中央端子との間を電気的に接続ないし遮断するスイッチ型分配／合成器あって、
前記複数のスイッチを構成する各ベースを一体に含む形状の導電性の一体ベースを形成し、
前記複数のスイッチを構成する各カードの先端部から、前記第１コネクタおよび複数の第２コネクタの各中央端子に至る経路を空間として、この空間内に前記各カードの先端部に取り付けられた可動接点を配置し、
これらの各可動接点を、前記第１コネクタの中央端子またはこの中央端子に接続された延長端子と、前記複数の第２コネクタの各中央端子またはこの中央端子に接続された延長端子とに対して、直接接触する形状に形成してなる
ことを特徴とするスイッチ型分配／合成器。
【請求項２】
導電性の一体サブベースをさらに備え、
前記複数のスイッチを、これらを構成する各可動接点が前記一体ベースの一の面側にくるように並設し、
前記一体ベースの一の面に前記一体サブベースを固定して、これら一体ベースおよび一体サブベースの少なくとも一方に前記第１コネクタおよび複数の第２コネクタの各外周電極を接続し、
前記一体ベースの一の面に凹状の溝を形成して前記空間を確保し、
前記第１コネクタの中央端子またはこの中央端子に接続された延長端子と、前記複数の第２コネクタの各中央端子またはこの中央端子に接続された延長端子とをそれぞれ固定する絶縁性および耐熱性の複数の固定部材を前記溝に埋め込んでなる
ことを特徴とする請求項１記載のスイッチ型分配／合成器。
【請求項３】
前記溝を、前記固定部材が埋め込まれた部分以外の幅および深さ寸法が揃う断面四角形状に形成し、
前記各可動接点の形状寸法と、前記第１コネクタの中央端子またはこの中央端子に接続された延長端子の形状寸法と、前記複数の第２コネクタの各中央端子またはこの中央端子に接続された延長端子の形状寸法とを調整することによりインピーダンス整合されている
ことを特徴とする請求項２記載のスイッチ型分配／合成器。
【請求項４】
前記第１コネクタの中央端子および前記複数の第２コネクタの各中央端子は、それぞれ延長端子一体型の端子になっていることを特徴とする請求項１から３のいずれかに記載のスイッチ型分配／合成器。
【請求項５】
前記一体ベースの外部から前記空間側に伸びるねじ穴を複数設け、これら複数のねじ穴に複数のねじを螺着し、各ねじのねじ込み長を調整することによりインピーダンスが調整されていることを特徴とする請求項１から４のいずれかに記載のスイッチ型分配／合成器。
【請求項６】
請求項１〜５のいずれかに記載のスイッチ型分配／合成器の生産方法であって、前記可動接点を形状寸法の異なる複数種類用意し、これら複数種類の可動接点から電気長に合わせて選択した可動接点を前記各カードの先端部に取り付けることを特徴とするスイッチ型分配／合成器の生産方法。
【発明の詳細な説明】
【０００１】
【発明の属する技術分野】
本発明は、例えば電力分配／合成器にスイッチを設けてなるスイッチ型分配／合成器およびこの生産方法に関するものである。
【０００２】
【従来の技術】
この種の従来技術としては、例えば特許文献１に「Ｎ−ウェイ（ｗａｙ）電力分配機／合成機」が記載されている。この電力分配機／合成機は、信号伝達経路を開放／短絡させるために、第１伝送ラインに定数倍の長さを持つ第２伝送ラインを追加して、ＲＦスイッチを設置できる空間を確保して、失敗された信号伝達経路を除去することにより、電力伝達効率を極大化できるようになっている。
【０００３】
図１１に電力合成器の構成例を示し、図１２に同電力合成器の一部断面図を示す。
【０００４】
図１１の電力合成器は、複数（図では３つ）のＳＰＳＴ（１極１常開接点）スイッチ１と、同軸型の、出力用のコネクタ４および複数（図では２つ）の入力用のコネクタ５と、プリント板（印刷回路基板）６と、プレート７とを備え、複数のＳＰＳＴスイッチ１のうち、２つのＳＰＳＴスイッチ１の可動接点２６（図１１（ｂ）では下側の２つ）を介して、コネクタ４の中央端子４１と複数のコネクタ５の各中央端子５１との間を電気的に接続ないし遮断する構成になっている。
【０００５】
なお、図１１（ｂ）の上側の可動接点２６を持つＳＰＳＴスイッチ１は、インピーダンスのスタブ整合用である。また、コネクタ４がコネクタ５より大型になっているのは、扱う電力の違いによる。つまり、各コネクタ５に例えば６０Ｗの電力が入力したとすれば、コネクタ４から１２０Ｗの電力が出力されることによる。
【０００６】
ＳＰＳＴスイッチ１は、図１２に示すように、電磁石ブロック１０と、ベースブロック２０とを備え、これらがねじＢ１（Ｍ２ねじ）でねじ止め固定された単品仕様の部品となっている。
【０００７】
電磁石ブロック１０は、給電によるコイル（巻線１３）の励磁によって可動鉄芯１１を固定鉄芯１４側に移動させるソレノイドである。
【０００８】
すなわち、電磁石ブロック１０は、固定鉄芯１４の開口側に先端１１０が填り込む形状に形成された円柱状の可動鉄芯１１と、これを内部に収納する筒状に形成され、一端および他端側側周部にそれぞれフランジ１２０，１２１を持つ絶縁性のボビン１２と、このフランジ１２０，１２１間に巻設された巻線１３と、円状の開口を持つ椀状に形成され、底面１４０に円状のフランジ１４１および孔１４０ａを持つ固定鉄芯１４と、これを嵌入するための孔１５０ａが穿設された中央部１５０に対し両端部１５１，１５１が同一方向に屈曲する断面コ字状の継鉄１５と、ボビン１２の他端側に挿入されたリング状の継鉄１６，１６と、断面コ字状の金属製のプレート１７と、継鉄１５を介して、巻線１３が巻設されたボビン１２を保持するとともに、そのボビン１２内に可動鉄芯１１を進退自在の状態で保持する断面コ字状の金属製のカバー１８とにより構成されている。
【０００９】
電磁石ブロック１０について補説すると、図１２において、プレート１７は、紙面に対して正面側および裏面側で下方に屈曲する（図１１（ａ）参照）。カバー１８の両端部１８１，１８１の先端は、それぞれ外方に屈曲されてフランジ１８２，１８２を形成し、これらフランジ１８２，１８２の各々には、ねじＢ１の足部挿通用の挿通孔が穿設されている。
【００１０】
ベースブロック２０は、上面および下面間に複数の側面（少なくとも４面）を持つ角状に形成され、固定鉄芯１４の孔１４０ａと連通する収納室Ｒ１およびこの収納室Ｒ１に対し隔壁２１０で隔てられ隔壁２１０に穿設された孔２１０ａを介して連通する収納室Ｒ２を有する金属製のベース２１と、収納室Ｒ１に収納され、先端部２２１が孔２１０ａを介して収納室Ｒ２内に突出し可動鉄芯１１の動きに応じて進退自在となる絶縁性（樹脂製）のカード２２を含む可動部と、収納室Ｒ２に収納され、カード２２の先端部２２１に固定された可動接点２６と、ベース２１の底側に固定（例えば嵌合固定）される金属製のサブベース２８とを備えているとともに、収納室Ｒ２に設けられ、可動接点２６と一端が接離するとともに他端が収納室Ｒ２から外部に突出するコンタクト端子２７１を保持するコンタクト端子ブロック２７を一対備えている。
【００１１】
上記可動部は、上記カードとして、基部２２０から二股に分かれた一対の架橋部２２２，２２２をさらに有するカード２２を含んでいるとともに、この一対の架橋部２２２，２２２で保持される平板矩形状のカードバネ２３と、このカードバネ２３および可動鉄芯１１間に介設され、固定鉄芯１４の孔１４０ａに挿通される円柱状のカード２４と、一対の架橋部２２２，２２２とベース２１の隔壁２１０との間に介設され、カード２２およびカードバネ２３を介してカード２４を可動鉄芯１１側に付勢する一対の復帰バネ２５，２５とを含んでいる。
【００１２】
ベースブロック２０について補説すると、図１２において、ベース２１の下方側部分は、左右方向に伸びる角状の横断溝が形成されており、その横断溝の各片側に、コンタクト端子２７１を保持する絶縁性（樹脂製）で角状のコンタクト端子ブロック本体２７０が配置されることにより、下方に開口する直方体状の収納室Ｒ２が形成される。収納室Ｒ２の開口は、ベース２１の下面側に固定され、両コンタクト端子ブロック本体２７０をベース２１とともに固定するサブベース２８によって閉塞される。また、ベース２１には、ねじＢ１用のねじ穴が上面に形成され、電磁石ブロック１０とのねじ止め固定が可能になっている一方、ねじＢ２（図ではＢ１と同じもの）用のねじ穴が下面に形成され、プレート７へのねじ止め固定が可能になっている。ねじＢ２用のねじ穴は、ベース２１の下面における上記横断溝両側のサブベース２８の領域外に形成される。なお、図１２において、Ｓは半田、６１は導体パターン（面）である。
【００１３】
このような構成の電力合成器では、図１１（ｂ）の下側の各ＳＰＳＴスイッチ１の非動作（コイルの非励磁）時には、カード２２が一対の復帰バネ２５，２５により可動鉄芯１１側に付勢され、可動接点２６が隔壁２１０に圧着した状態となる。このとき、可動接点２６が一対のコンタクト端子２７１，２７１から離隔した状態となって、一対のコンタクト端子２７１，２７１間が電気的に遮断されることにより、コネクタ４の中央端子４１と複数のコネクタ５の各中央端子５１との間が電気的に遮断されることになる。
【００１４】
これに対して、上記各ＳＰＳＴスイッチ１の動作（コイルの励磁）時には、可動鉄芯１１が固定鉄芯１４側に進出することにより、カード２４およびカードバネ２３を介してカード２２が押されてその先端部２２１が進出し、先端部２２１に固定された可動接点２６が一対のコンタクト端子２７１，２７１に接触した状態となる。これにより、一対のコンタクト端子２７１，２７１間が電気的に接続され、コネクタ４の中央端子４１と複数のコネクタ５の各中央端子５１との間が電気的に接続されることになる。
【００１５】
なお、特許文献２には、プリント基板と電磁ブロックとの接続の作業性とプリント基板の取り付け作業性が良く、取り付け精度も高い同軸リレーが開示されている。
【００１６】
【特許文献１】
特許第３０８４５１７号明細書
【特許文献２】
特開２０００−３０６４７９号公報
【００１７】
【発明が解決しようとする課題】
上記図１１，図１２に示した構成では、ＳＰＳＴスイッチの端子（コンタクト端子）をプリント板に接続し、プリント板で配線することにより電力合成器を構成しているため、挿入損失が大きくなるという問題が発生する。
【００１８】
この問題は、上記図１１，図１２に示すような構成に限らず、各コネクタの中央端子間の配線経路にプリント板が介在する構成で発生しうるものである。
【００１９】
本発明は、上記事情に鑑みてなされたものであり、プリント板に起因する挿入損失を無くし、低挿入損失を実現することができるスイッチ型分配／合成器およびこの生産方法を提供することを目的とする。
【００２０】
【課題を解決するための手段】
上記課題を解決するための請求項１記載の発明は、第１収納室およびこの第１収納室に対し隔壁で隔てられその隔壁に穿設された孔を介して連通する第２収納室を有する導電性のベースと、前記第１収納室に収納され前記孔を介して前記第２収納室内に先端部が突出する進退自在のカードと、このカードの先端部に取り付けられ前記第２収納室に収納される可動接点とにより構成されるスイッチを複数備えるとともに、同軸型の、第１コネクタおよび複数の第２コネクタを備え、前記複数のスイッチの可動接点を介して、前記第１コネクタの中央端子と前記複数の第２コネクタの各中央端子との間を電気的に接続ないし遮断するスイッチ型分配／合成器あって、前記複数のスイッチを構成する各ベースを一体に含む形状の導電性の一体ベースを形成し、前記複数のスイッチを構成する各カードの先端部から、前記第１コネクタおよび複数の第２コネクタの各中央端子に至る経路を空間として、この空間内に前記各カードの先端部に取り付けられた可動接点を配置し、これらの各可動接点を、前記第１コネクタの中央端子またはこの中央端子に接続された延長端子と、前記複数の第２コネクタの各中央端子またはこの中央端子に接続された延長端子とに対して、直接接触する形状に形成してなることを特徴とする。
【００２１】
請求項２記載の発明は、請求項１記載のスイッチ型分配／合成器において、導電性の一体サブベースをさらに備え、前記複数のスイッチを、これらを構成する各可動接点が前記一体ベースの一の面側にくるように並設し、前記一体ベースの一の面に前記一体サブベースを固定して、これら一体ベースおよび一体サブベースの少なくとも一方に前記第１コネクタおよび複数の第２コネクタの各外周電極を接続し、前記一体ベースの一の面に凹状の溝を形成して前記空間を確保し、前記第１コネクタの中央端子またはこの中央端子に接続された延長端子と、前記複数の第２コネクタの各中央端子またはこの中央端子に接続された延長端子とをそれぞれ固定する絶縁性および耐熱性の複数の固定部材を前記溝に埋め込んでなることを特徴とする。
【００２２】
請求項３記載の発明は、請求項２記載のスイッチ型分配／合成器において、前記溝を、前記固定部材が埋め込まれた部分以外の幅および深さ寸法が揃う断面四角形状に形成し、前記各可動接点の形状寸法と、前記第１コネクタの中央端子またはこの中央端子に接続された延長端子の形状寸法と、前記複数の第２コネクタの各中央端子またはこの中央端子に接続された延長端子の形状寸法とを調整することによりインピーダンス整合されていることを特徴とする。
【００２３】
請求項４記載の発明は、請求項１から３のいずれかに記載のスイッチ型分配／合成器において、前記第１コネクタの中央端子および前記複数の第２コネクタの各中央端子は、それぞれ延長端子一体型の端子になっていることを特徴とする。
【００２４】
請求項５記載の発明は、請求項１から４のいずれかに記載のスイッチ型分配／合成器において、前記一体ベースの外部から前記空間側に伸びるねじ穴を複数設け、これら複数のねじ穴に複数のねじを螺着し、各ねじのねじ込み長を調整することによりインピーダンスが調整されていることを特徴とする。
【００２５】
請求項６記載の発明は、請求項１〜５のいずれかに記載のスイッチ型分配／合成器の生産方法であって、前記可動接点を形状寸法の異なる複数種類用意し、これら複数種類の可動接点から電気長に合わせて選択した可動接点を前記各カードの先端部に取り付けることを特徴とする。
【００２６】
【発明の実施の形態】
（第１実施形態）
図１は本発明による第１実施形態のスイッチ型分配／合成器の一部断面図、図２は同スイッチ型分配／合成器の構成図、図３は同スイッチ型分配／合成器に使用される電磁石ブロックの分解斜視図である。
【００２７】
先ず、第１実施形態のスイッチ型分配／合成器に使用される電磁石ブロックについて説明する。
【００２８】
図１，図３に示すように、電磁石ブロック１０は、給電によるコイル（巻線１３）の励磁によって可動鉄芯１１を固定鉄芯１４側に移動させるソレノイドであり、可動鉄芯１１と、絶縁性（樹脂製）のボビン１２と、巻線１３と、固定鉄芯１４と、継鉄１５，１６，１６と、金属製のプレート１７と、金属製のカバー１８（１８Ａ）とにより構成される。
【００２９】
可動鉄芯１１は、円柱状に形成され、先端部１１０が固定鉄芯１４の開口１４ａ側に填り込む円錐台状に形成されている。
【００３０】
ボビン１２は、可動鉄芯１１を進退自在に内部に収納する円筒状に形成され、一端（図では下端）および他端側側周部にそれぞれ平角状のフランジ１２０，１２１を有し、一端に開口１４ａ側の固定鉄芯１４の部分が挿入されるようになっている。
【００３１】
巻線１３は、絶縁被覆（被膜）を持つ導体線をボビン１２のフランジ１２０，１２１間の側周部に巻設してなり、両端が、例えば図示しない外部装置の一対の出力端子または外部装置との接続用の一対の端子に接続される。
【００３２】
固定鉄芯１４は、円状の開口１４ａを持ち、可動鉄芯１１の先端部１１０が丁度填り込む椀状に形成され、底面１４０の外周に円状のフランジ１４１を有しているとともに、底面１４０の中心部に孔１４０ａを有している。
【００３３】
継鉄１５は、固定鉄芯１４を嵌入固定するための孔１５０ａが穿設された中央部１５０に対し、両端部１５１，１５１が同一方向（図では上方）に屈曲する断面コ字状に形成されている。また、各端部１５１には、被狭持部１５１ａとしての凹部が両側の各々に形成されている一方、固定部１５１ｂとしての凹部が先端に形成されている。
【００３４】
継鉄１６は、平角リング状に形成され、ボビン１２における他端とフランジ１２１との間の側周部に挿入されるようになっている。
【００３５】
プレート１７は、中央部１７０に対し、両端部１７１，１７１が継鉄１５の両端部１５１，１５１間に填り込むように同一方向（図では下方）に屈曲する断面コ字状に形成されている。また、中央部１７０の両側には、被固定部１７０ａとして、継鉄１５の固定部１５１ｂに凹凸嵌合する凸部が形成されている。
【００３６】
カバー１８は、固定鉄芯１４が嵌入固定された継鉄１５を介して、巻線１３が巻設されたボビン１２を保持するとともに、そのボビン１２内に可動鉄芯１１を進退自在の状態で保持するものであり、中央部１８０に対し、両端部１８１，１８１がそれぞれ継鉄１５の両端部１５１，１５１を挟み込むように同一方向（図では下方）に屈曲する断面コ字状に形成されている。また、各端部１８１には、狭持部１８１ａとして、内側に屈曲されたときに継鉄１５の被狭持部１５１ａと凹凸嵌合する凸部が両側の各々に形成されている一方、フランジ１８２が先端に外向きに立設されている。フランジ１８２には、ねじＢ１の足部挿通用の挿通孔１８２ａが穿設されている。
【００３７】
このように構成される電磁石ブロック１０は、種々の手順で組み立てることができるが、その一の手順例について説明する。先ず、固定鉄芯１４の開口１４ａが継鉄１５の両端部１５１，１５１間に来るように、固定鉄芯１４を継鉄１５の中央部１５０の孔１５０ａに嵌入固定する。
【００３８】
続いて、フランジ１２０，１２１間に巻線１３が巻設され、固定鉄芯１４の開口１４ａ側に先端部１１０が填り込むように可動鉄芯１１が挿入されたボビン１２を、フランジ１２０が継鉄１５の中央部１５０に対面するようにして継鉄１５の両端部１５１，１５１間に収める。この時またはこの後、ボビン１２の他端およびフランジ１２１間に継鉄１６，１６を挿入する。
【００３９】
続いて、プレート１７の両端部１７１，１７１が継鉄１５の両端部１５１，１５１間に填り込むようにして、プレート１７の各被固定部１７０ａと継鉄１５の各固定部１５１ｂとを凹凸嵌合する。
【００４０】
続いて、カバー１８の中央部１８０がプレート１７の中央部１７０と対面するようにして、カバー１８の両端部１８１，１８１で継鉄１５の両端部１５１，１５１を挟み込み、カバー１８の各狭持部１８１ａを内側に屈曲して、カバー１８の各狭持部１８１ａと継鉄１５の各被狭持部１５１ａとを凹凸嵌合する。これにより、一体部品としての電磁石ブロック１０の組立てが完了する。
【００４１】
次に、第１実施形態のスイッチ型分配／合成器について説明する。このスイッチ型分配／合成器は、図２に示すように、同軸型の、出力用のコネクタ４および複数（図では２つ）の入力用のコネクタ５を、図１１，図１２に示した電力合成器と同様に備えた電力合成器になっており、図１１中の複数のＳＰＳＴスイッチ１を構成する各ベース２１を一体に含む形状の導電性（金属製）の一体ベース２１Ａを形成し、各サブベース２８も導電性（金属製）の一体サブベース２８Ａとしたことを第１の特徴としている。
【００４２】
つまり、一体ベース２１Ａは、各ＳＰＳＴスイッチ１を図２のように配列した場合の各ベース２１の全部または一部を含む連続した平角状になるように形成されている。図１の例では、各ベース２１の一部を含む連続した平角状になっている。すなわち、図２（ｂ）の下側２つの各ＳＰＳＴスイッチが、図１に示すように、中央のねじＢ１用のねじ穴を１つ共用するように小型化されており、それら２つのＳＰＳＴスイッチのカバーもカバー１８Ａとして一体になっている。
【００４３】
このような構造の一体ベース２１Ａの上部側には、上方に開口する複数の収納室Ｒ１が形成されることになるが、それらの各収納室Ｒ１には、カード２２、カードバネ２３、カード２４および一対の復帰バネ２５，２５を含む可動部が収納される。そして、図２（ｂ）の下側２つのＳＰＳＴスイッチを構成する各可動部の上方には、図１に示すように、一体のカバー１８Ａによる２連の電磁石ブロック１０，１０の各々が設けられ、３つのねじＢ１により一体ベース２１Ａにねじ止め固定される。一方、図２（ｂ）の上側のＳＰＳＴスイッチを構成する可動部の上方には、電磁石ブロック１０が設けられ、２つのねじＢ１により一体ベース２１Ａにねじ止め固定される。
【００４４】
一体ベース２１Ａの下部側には、図１，図２（ｂ）に示すように、隔壁２１０の孔２１０ａを介して収納室Ｒ１と連通する収納室Ｒ２が設けられ、進退自在のカード２２の先端部２２１が収納室Ｒ１から収納室Ｒ２内に突出することになるが、各カード２２の先端部２２１から、コネクタ４の中央端子４１および複数のコネクタ５の各中央端子５１に至る経路を、一体ベース２１Ａに形成した凹状の溝２１１による空間とし、この空間（溝２１１）内に、各カード２２の先端部２２１に固定（熱着）された可動接点を配置したことを第２の特徴としている。
【００４５】
そして、上記３つの可動接点のうち、図２（ｂ）に示すように、スタブ整合用の可動接点２６は、図１１と同様に、カード２２の先端部２２１を挿入するための孔を中央部２６０に有するＨ字状に形成される。
【００４６】
一方、残り２つの各可動接点２６Ａは、第３の特徴として、図１，図２（ｂ）に示すように、コネクタ４の中央端子４１および複数のコネクタ５の各中央端子５１に対して、直接接触する長尺状に形成される。図２（ｂ）の例では、コネクタ４の中央端子４１には延長端子４２が例えば半田などで接続され、複数のコネクタ５の各中央端子５１には延長端子５２が例えば半田などで接続されているため、各可動接点２６Ａは、延長端子４２および各延長端子５２に対して、直接接触するＨ字状に形成され、中央部２６０Ａにカード２２の先端部２２１を挿入するための孔が穿設されている。
【００４７】
上記のように一体ベース２１Ａが平角状に形成されるので、その一体ベース２１Ａの各収納室Ｒ２を含む空間を閉塞するため、一体サブベース２８Ａは、一体ベース２１Ａに対応する大きさの平角状に形成される。そして、それら一体ベース２１Ａおよび一体サブベース２８Ａは、互いに固定されて一体組みベースを構成し、この一体組みベースの側面に、コネクタ４の外周電極４０および複数のコネクタ５の各外周電極５０が接続され、コネクタ４の中央端子４１および複数のコネクタ５の各中央端子５１は、一体組みベースの側面における上記空間に連通する孔に挿入される。図２（ｃ）の例では、一体ベース２１Ａおよび一体サブベース２８Ａの両側面に各外周電極が接続されている。
【００４８】
このように構成されるスイッチ型分配／合成器は、種々の手順で組み立てることができるが、その一の手順例について説明する。
【００４９】
先ず、一体ベース２１Ａの各収納室Ｒ１における孔２１０ａの両側の凹部にそれぞれ一対の復帰バネ２５，２５を配置し、これらにカード２２の一対の架橋部２２２，２２２下の凸部を挿入するとともに、カード２２の先端部２２１を一体ベース２１Ａの孔２１０ａに挿入する。そして、各収納室Ｒ２に突出したカード２２の先端部２２１を可動接点（２６，２６Ａ）の孔に挿通して固定（熱着）する。
【００５０】
続いて、カード２２毎に、カードバネ２３の両端に穿設された一対の孔に、それぞれカード２２の一対の架橋部２２２，２２２上の凸部２２２ａ，２２２ａを挿通する。
【００５１】
続いて、各電磁石ブロック１０における固定鉄芯１４の孔１４０ａにカード２４を挿通した状態で、カバー（１８，１８Ａ）の各フランジ１８２を一体ベース２１Ａの上面に載置し、各フランジ１８２の挿通孔１８２ａと一体ベース２１Ａの各ねじ穴との位置合わせをした上で、ねじＢ１を用いて、各電磁石ブロック１０を一体ベース２１Ａにねじ止め固定する。
【００５２】
続いて、コネクタ４，５および延長端子４２，５２などが取り付けられた一体ベース２１Ａの下面に、一体サブベース２８Ａを固定する。これにより、スイッチ型分配／合成器の組立てが完了する。
【００５３】
次に、同スイッチ型分配／合成器の動作について説明する。例えば図１において、各ＳＰＳＴスイッチの非動作（コイルの非励磁）時には、カード２２が一対の復帰バネ２５，２５により可動鉄芯１１側に付勢され、可動接点２６Ａが隔壁２１０に圧着した状態となる。このとき、可動接点２６Ａが延長端子４２，５２から離隔した状態となるので、コネクタ４の中央端子４１およびコネクタ５の中央端子５１が電気的に遮断されることになる。
【００５４】
これに対して、磁束が、固定鉄芯１４から継鉄１５の中央部１５０，両端部１５１，１５１、継鉄１６，１６、可動鉄芯１１を通って固定鉄芯１４に還流するようにコイル（巻線１３）に給電をする各ＳＰＳＴスイッチの動作時には、上記磁束の還流で発生する推力によって、可動鉄芯１１が固定鉄芯１４側に進出するので、カード２４およびカードバネ２３を介してカード２２が押されてその先端部２２１が進出し、先端部２２１に固定された可動接点２６Ａが延長端子４２，５２に接触した状態となる。これにより、コネクタ４の中央端子４１およびコネクタ５の中央端子５１が電気的に接続されることになる。
【００５５】
第１実施形態によれば、プリント板を不要とすることができ、各カード２２の先端部２２１に固定された可動接点２６Ａから、コネクタ４の中央端子４１および複数のコネクタ５の各中央端子５１に至る経路中に、プリント板の導体パターンが存在しなくなるため、プリント板に起因する挿入損失を無くし、低挿入損失（０．５ｄＢ→０．２ｄＢ）を実現することができる。また、各コネクタを定格に合わせて交換するだけで、１入力複数出力の電力分配器および複数入力１出力の電力合成器のいずれにも対応可能となる。さらに、一体ベース２１Ａおよび一体サブベース２８Ａ以外のほとんどの部品を、図１２のＳＰＳＴスイッチ１の部品と共用可能であるので、部品点数を増やすことなく商品のバリエーション拡大が可能となる。
【００５６】
また、一体ベース２１Ａに形成した凹状の溝２１１によって上記空間を確保することで挿入損失性能を良くすることができ、一体サブベース２８Ａが平角状の簡単な構造で済むため、一体サブベース２８Ａの加工を容易にできる。
【００５７】
なお、第１実施形態では、スイッチ型分配／合成器は、継鉄１６，１６が使用されることにより、コイル励磁中、可動鉄芯１１の固定鉄芯１４側への進出状態を保持するフェールセーフ型になっているが、継鉄１６，１６に代えて磁石を使用することにより、コイルが非励磁になっても可動鉄芯１１の固定鉄芯１４側への進出状態を保持可能なラッチング型とすることができる。
【００５８】
また、カード２２の一対の架橋部２２２，２２２には、平板矩形状のカードバネ２３の両端に穿設された一対の孔に挿通する凸部２２２ａ，２２２ａが形成されているが、カードバネ２３の一対の孔にカード２２の凸部２２２ａ，２２２ａを挿通した後、各凸部２２２ａの先端側を抜け防止手段として傘状につぶすようにしてもよい。
【００５９】
（第２実施形態）
図４は本発明による第２実施形態のスイッチ型分配／合成器の一部断面図、図５は同スイッチ型分配／合成器の一部拡大図である。
【００６０】
第２実施形態のスイッチ型分配／合成器は、第１実施形態との相違点として、図４，図５に示すように、コネクタ４の中央端子４１に接続された延長端子４２と、複数のコネクタ５の各中央端子５１に接続された延長端子５２とをそれぞれ固定する絶縁性および耐熱性の複数の固定部材２９が、一体ベース２１Ａの溝２１１に埋め込まれていることを特徴とする。なお、図４の例では、スタブ整合用の可動接点２６に対する端子Ｔも固定部材２９で保持固定されている。また、固定部材２９には、セラミックなどの材料を使用するのが望ましい。
【００６１】
第２実施形態によれば、延長端子４２，５２を固定する絶縁性および耐熱性の固定部材２９が一体ベース２１Ａに形成された溝２１１に埋め込まれるので、高電力伝送（１００Ｗ→２００〜３００Ｗ以上）用として使用可能となる。
【００６２】
（第３実施形態）
図６は本発明による第３実施形態のスイッチ型分配／合成器の一部断面図、図７は同スイッチ型分配／合成器の一部拡大図である。
【００６３】
第３実施形態のスイッチ型分配／合成器は、第２実施形態との相違点として、図６，図７に示すように、一体ベース２１Ａの溝２１１を、固定部材２９が埋め込まれた部分以外の幅および深さ寸法が揃う断面四角形状に形成してなり、各可動接点２６Ａの形状寸法と、コネクタ４の延長端子４２の形状寸法と、各コネクタ５の延長端子５２の形状寸法とを調整することによりインピーダンス整合されていることを特徴とする。特に、抜き幅寸法を調整することによりインピーダンス整合されている。
【００６４】
第３実施形態によれば、溝２１１を幅および深さ寸法が揃う断面四角形状に形成しているので、Ｒを持つ溝に比べて一体ベース２１Ａの加工が容易となり、また各可動接点２６Ａおよび各延長端子４２，５２は加工しやすく、安価なスイッチ型分配／合成器の提供が可能となる。
【００６５】
（第４実施形態）
図８は本発明による第４実施形態のスイッチ型分配／合成器の一部断面図、図９は同スイッチ型分配／合成器の一部拡大図である。
【００６６】
第４実施形態のスイッチ型分配／合成器は、第３実施形態との相違点として、図８，図９に示すように、コネクタ４の中央端子４１Ａおよび複数のコネクタ５の各中央端子５１Ａは、それぞれ延長端子一体型の端子になっていることを特徴とする。
【００６７】
第４実施形態によれば、中央端子４１Ａおよび各中央端子５１Ａの各々が延長端子一体型の端子になっているので、中央端子４１，５１にそれぞれ延長端子４２，５２が半田Ｓで接続される場合に比べ、挿入損失をより一層低減することができる。
【００６８】
（第５実施形態）
図１０は本発明による第５実施形態のスイッチ型分配／合成器の一部断面図である。
【００６９】
第５実施形態のスイッチ型分配／合成器は、第３実施形態との相違点として、図１０に示すように、外部から内部の空間（溝２１１）側に伸びるねじ穴Ｈ１が複数設けられた一体ベース２１Ｂを備え、それら複数のねじ穴Ｈ１にそれぞれ複数のねじＢ３を螺着し、各ねじＢ３のねじ込み長を調整することによりインピーダンスが調整されていることを特徴とする。
【００７０】
第５実施形態によれば、組立後、測定器でスイッチ型分配／合成器のインピーダンスを測定しながら、各ねじＢ３のねじ込み長を調整することによりそのインピーダンスを調整することができ、生産性を向上させることができる。なお、調整後は接着剤等でねじを固定することが望ましい。
【００７１】
（第６実施形態）
本発明による第６実施形態は、第１から第５実施形態のいずれかのスイッチ型分配／合成器の生産方法であり、可動接点２６，２６Ａを形状寸法（長さ寸法）の異なる複数種類（２，３種類）用意し、これら複数種類の可動接点２６，２６Ａから電気長に合わせて選択した最適寸法（最適長）の可動接点を各カード２２の先端部２２１に固定（熱着）することを特徴とする。
【００７２】
第６実施形態によれば、電気長に合わせて選択された可動接点が各カード２２の先端部２２１に固定されるので、種々の分配／合成器の電気長に対応可能となる。
【００７３】
【発明の効果】
以上のことから明らかなように、請求項１記載の発明は、第１収納室およびこの第１収納室に対し隔壁で隔てられその隔壁に穿設された孔を介して連通する第２収納室を有する導電性のベースと、前記第１収納室に収納され前記孔を介して前記第２収納室内に先端部が突出する進退自在のカードと、このカードの先端部に取り付けられ前記第２収納室に収納される可動接点とにより構成されるスイッチを複数備えるとともに、同軸型の、第１コネクタおよび複数の第２コネクタを備え、前記複数のスイッチの可動接点を介して、前記第１コネクタの中央端子と前記複数の第２コネクタの各中央端子との間を電気的に接続ないし遮断するスイッチ型分配／合成器あって、前記複数のスイッチを構成する各ベースを一体に含む形状の導電性の一体ベースを形成し、前記複数のスイッチを構成する各カードの先端部から、前記第１コネクタおよび複数の第２コネクタの各中央端子に至る経路を空間として、この空間内に前記各カードの先端部に取り付けられた可動接点を配置し、これらの各可動接点を、前記第１コネクタの中央端子またはこの中央端子に接続された延長端子と、前記複数の第２コネクタの各中央端子またはこの中央端子に接続された延長端子とに対して、直接接触する形状に形成してなるので、プリント板を不要とすることができ、各カードの先端部に取り付けられた可動接点から、第１コネクタおよび複数の第２コネクタの各中央端子に至る経路中に、プリント板の導体パターンが存在しなくなるため、プリント板に起因する挿入損失を無くし、低挿入損失を実現することができる。また、第１コネクタおよび第２コネクタを定格に合わせて交換するだけで、分配器および合成器のいずれにも対応可能となる。さらに、ベース以外のほとんどの部品を、単品仕様のスイッチの部品と共用可能であるので、部品点数を増やすことなく商品のバリエーション拡大が可能となる。
【００７４】
請求項２記載の発明は、請求項１記載のスイッチ型分配／合成器において、導電性の一体サブベースをさらに備え、前記複数のスイッチを、これらを構成する各可動接点が前記一体ベースの一の面側にくるように並設し、前記一体ベースの一の面に前記一体サブベースを固定して、これら一体ベースおよび一体サブベースの少なくとも一方に前記第１コネクタおよび複数の第２コネクタの各外周電極を接続し、前記一体ベースの一の面に凹状の溝を形成して前記空間を確保し、前記第１コネクタの中央端子またはこの中央端子に接続された延長端子と、前記複数の第２コネクタの各中央端子またはこの中央端子に接続された延長端子とをそれぞれ固定する絶縁性および耐熱性の複数の固定部材を前記溝に埋め込んでなるので、凹状の溝によって上記空間を確保することで挿入損失性能を良くすることができ、一体ベースに溝を形成することで、一体サブベースは例えば平板状にするだけの簡単な構造で済むため、一体サブベースの加工を容易にできるほか、耐熱性の固定部材を使用することで高電力伝送用として使用可能となる。
【００７５】
請求項３記載の発明は、請求項２記載のスイッチ型分配／合成器において、前記溝を、前記固定部材が埋め込まれた部分以外の幅および深さ寸法が揃う断面四角形状に形成し、前記各可動接点の形状寸法と、前記第１コネクタの中央端子またはこの中央端子に接続された延長端子の形状寸法と、前記複数の第２コネクタの各中央端子またはこの中央端子に接続された延長端子の形状寸法とを調整することによりインピーダンス整合されているので、Ｒを持つ溝に比べて一体ベースの加工が容易となり、また各可動接点および各延長端子は加工しやすく、安価なスイッチ型分配／合成器の提供が可能となる。
【００７６】
請求項４記載の発明は、請求項１から３のいずれかに記載のスイッチ型分配／合成器において、前記第１コネクタの中央端子および前記複数の第２コネクタの各中央端子は、それぞれ延長端子一体型の端子になっているので、挿入損失をより一層低減することができる。
【００７７】
請求項５記載の発明は、請求項１から４のいずれかに記載のスイッチ型分配／合成器において、前記一体ベースの外部から前記空間側に伸びるねじ穴を複数設け、これら複数のねじ穴に複数のねじを螺着し、各ねじのねじ込み長を調整することによりインピーダンスが調整されているので、組立後、測定器でスイッチ型分配／合成器のインピーダンスを測定しながら、各ねじのねじ込み長を調整することによりそのインピーダンスを調整することができ、生産性を向上させることができる。
【００７８】
請求項６記載の発明は、請求項１〜５のいずれかに記載のスイッチ型分配／合成器の生産方法であって、前記可動接点を形状寸法の異なる複数種類用意し、これら複数種類の可動接点から電気長に合わせて選択した可動接点を前記各カードの先端部に取り付けるので、種々の分配／合成器の電気長に対応可能となる。
【図面の簡単な説明】
【図１】本発明による第１実施形態のスイッチ型分配／合成器の一部断面図である。
【図２】同スイッチ型分配／合成器の構成図である。
【図３】同スイッチ型分配／合成器に使用される電磁石ブロックの分解斜視図である。
【図４】本発明による第２実施形態のスイッチ型分配／合成器の一部断面図である。
【図５】同スイッチ型分配／合成器の一部拡大図である。
【図６】本発明による第３実施形態のスイッチ型分配／合成器の一部断面図である。
【図７】同スイッチ型分配／合成器の一部拡大図である。
【図８】本発明による第４実施形態のスイッチ型分配／合成器の一部断面図である。
【図９】同スイッチ型分配／合成器の一部拡大図である。
【図１０】本発明による第５実施形態のスイッチ型分配／合成器の一部断面図である。
【図１１】参考例として電力合成器の構成を示す図である。
【図１２】同電力合成器の一部断面図を示す図である。
【符号の説明】
１０，１０Ａ  電磁石ブロック
１１  可動鉄芯
１２  ボビン
１３  巻線
１４  固定鉄芯
１５，１６  継鉄
１７  プレート
１８，１８Ａ  カバー
２１Ａ，２１Ｂ  一体ベース
２１１  溝
２２  カード
２３  カードバネ
２４  カード
２５  復帰バネ
２６，２６Ａ  可動接点
２７Ａ  一体サブベース
２９  固定部材
４，５  コネクタ
４１，４１Ａ，５１，５１Ａ  中央端子
４２，５２  延長端子
【図１】
2004236207.tif 000003
【図２】
2004236207.tif 000004
【図３】
2004236207.tif 000005
【図４】
2004236207.tif 000006
【図５】
2004236207.tif 000007
【図６】
2004236207.tif 000008
【図７】
2004236207.tif 000009
【図８】
2004236207.tif 000010
【図９】
2004236207.tif 000011
【図１０】
2004236207.tif 000012
【図１１】
2004236207.tif 000013
【図１２】
2004236207.tif 000014